(57)【要約】【課題】ピックアップユニットの暴走が発生したとしても緩衝部材の衝撃緩和効果を著しく低下させる永久変形を防止できるディスク装置を提供する。また、わずかな変位量でも最内周検出スイッチを動作させ、ピックアップユニットの最内周位置到達を高精度に検知できる機能を備えたディスク装置を提供する。【解決手段】ピックアップ支持手段の移動範囲の一端側を規制する弾性体と、該弾性体を支持すると共に前記弾性体の変形を抑制するストッパとを備えたことを特徴とする。又、前記弾性体と、前記弾性体に接続され梃子構造をなすスイッチングアーム５とを有し、前記スイッチングアーム５は支軸部３２からピックアップ当接部５５までの水平距離Ｌ１と、支軸部３２からスイッチ当接部５６までの水平距離Ｌ２とが、Ｌ１＜Ｌ２であることを特徴とする。【選択図】図３
2007200497.tif 000002
【特許請求の範囲】
【請求項１】
ディスクを回転させるディスク回転手段と、前記ディスクの半径方向に移動するピックアップ支持手段と、このピックアップ支持手段を前記ディスクの半径方向に移動させるためのピックアップ送り手段と、を有するディスク装置において、前記ピックアップ支持手段に当接して該ピックアップ支持手段の移動範囲の一端側を規制する弾性体と、該弾性体を支持すると共に前記ピックアップ支持手段の当接による前記弾性体の変形を抑制するストッパとを備えたことを特徴とするディスク装置。
【請求項２】
ディスクを回転させるディスク回転手段と、前記ディスクの半径方向に移動するピックアップ支持手段と、このピックアップ支持手段を前記ディスクの半径方向に移動させるためのピックアップ送り手段と、を有するディスク装置において、前記ピックアップ支持手段に当接して該ピックアップ支持手段の移動範囲の一端側を規制する弾性体を備え、前記弾性体により一端が前記ピックアップ支持手段側に付勢される回転自在なスイッチングアームとを有し、前記スイッチングアームはその回転支点をなす支軸部と、前記弾性体によりピックアップ支持手段側に付勢されて該ピックアップ支持手段と衝突する力点となるピックアップ当接部と、最内周検出スイッチのオン・オフを行う作用点となるスイッチ当接部とからなる梃子構造をなすとともに、前記支軸部からピックアップ当接部までの水平距離Ｌ１と、前記支軸部からスイッチ当接部までの水平距離Ｌ２とが、Ｌ１＜Ｌ２の関係となるようにしたことを特徴とするディスク装置。
【発明の詳細な説明】
【技術分野】
【０００１】
本発明は、ディスク装置に係り、特にそのピックアップユニットが最内周位置を越えて暴走した際の破損防止構造に関するものである。
【背景技術】
【０００２】
一般に光ディスク等のディスクに対して記録または再生を行うディスク装置において、例えば光ディスクを代表として説明すると、そのディスク装置を構成するトラバースメカは、ターンテーブル等の光ディスク保持手段と、スピンドルモータ等の光ディスク回転手段と、光ピックアップ支持手段と、前記光ピックアップ支持手段を光ディスクの半径方向に移動させるための光ピックアップ送り手段を主な構成要素としている。また、前記構成要素に加えて、光ピックアップ支持手段の速度制御や位置制御のため、光ピックアップ支持手段が光ディスクの最内周位置に達したことを検知するための、最内周検出スイッチを有しているものもある。
【０００３】
光ピックアップ送り手段の一般的な機構の１つとしては、光ピックアップ支持手段である光ピックアップユニットの両端が、光ピックアップユニットの移動方向に平行して設置された２本のガイドシャフトに摺動可能な状態で嵌め込まれ、光ピックアップユニット送り手段を構成するスレッドモータの回転駆動力が、前記スレッドモータに接続されるリードスクリューと、前記光ピックアップユニットに設置され前記リードスクリューに咬合するナット部材とを介して伝達されることにより、前記光ピックアップユニットを前記ガイドシャフトに沿って移動させるというものがある。
【０００４】
ここで、前記光ピックアップユニットは外的要因や前記スレッドモータの動作異常等により、光ディスクの最内周位置以上に暴走し光ディスク回転手段であるスピンドルモータユニット等に衝突する場合があり、この衝突時の衝撃が大きいと光ピックアップ等の破損や衝突部位の変形等の不具合が生じることがある。この課題に対する従来の技術としては、光ディスクの最内周位置に弾性体を設置し光ピックアップの衝撃緩和機構とする方法が一般的に用いられてきた。ここで、下記[特許文献１]及び、下記[特許文献２]には、光ピックアップ送り手段を構成するガイドシャフトを固定する板バネの一部を光ピックアップの衝撃緩和機能として併用する発明が開示されている。
【０００５】
また、近年の光ディスク装置ではスピンドルモータのトルク向上のためローター部の半径を大きくする傾向にあるのに対し、光ディスクでは記録容量増加のために最内周半径位置をより内側に移動して情報記録帯を拡げる傾向にある。これにより、光ピックアップユニットはよりスピンドルモータ側に接近する必要があるにもかかわらず、上記のようにスピンドルモータのローター半径が従来よりも大きいために、光ディスクの最内周位置に到達したときの光ピックアップユニットとスピンドルモータユニットとの間隔は極めて狭いものとなる。従来、最内周検出スイッチは前記光ピックアップユニットとスピンドルモータユニットとの間にあり、光ピックアップユニットが光ディスクの最内周位置に達したことを検知するものであるが、前述したとおり光ディスクの最内周位置での光ピックアップユニットとスピンドルモータユニットとの間隔は狭くなっているため、最内周検出スイッチをオン・オフするための十分な変位量を確保するのが困難となってきている。
【０００６】
【特許文献１】特開平１１−６６７７０号公報
【０００７】
【特許文献２】特開昭６２−８８１８６号公報
【発明の開示】
【発明が解決しようとする課題】
【０００８】
前述のように、光ピックアップユニットは外的要因等やスレッドモータの動作異常により光ディスクの最内周位置以上に暴走し、スピンドルモータユニット等に衝突する場合があり、この衝突時の衝撃が大きいと光ピックアップ等の破損や衝突部位の変形等の不具合が生じる。これに対しては、光ディスクの最内周位置にスプリング等の弾性体を設置し光ピックアップの衝撃緩和機能とするものがあるが、衝撃緩和機能を構成するための部品数が増加し、コストが増大するという課題がある。
【０００９】
これらの課題に対し、前記[特許文献１]では、図９に示すように光ピックアップ送り手段を構成するガイドシャフト８を固定する板バネ１０の一部を光ディスクの最内周位置でベースユニットに対し直角に立ち上げ、その立ち上げ部位１１を光ピックアップ衝突時の衝撃緩和機能とすることで、１つの部品にガイドシャフトの固定と光ピックアップの衝撃緩和機能という２つの機能を持たせ、部品数の増加防止を図っている。更に、[特許文献２]では[特許文献１]と同様の衝撃緩和機能を構成する板バネにゴム等を取り付けることで衝撃緩和機能の向上を行っている。
【００１０】
しかしながら、[特許文献１]及び、[特許文献２]の発明では、板バネの変形を抑制するための機構が無いために、光ピックアップの暴走が大きければそれだけ大きな変形が前記板バネに強いられることとなり、場合によって前記板バネは永久変形し、その後の衝撃緩和機能を果たすことができなくなるという課題がある。
【００１１】
また上記課題とは別に、前述したとおり光ディスクの最内周位置での光ピックアップユニットとスピンドルモータユニットとの間隔は狭くなっているため、最内周検出スイッチをオン・オフするための十分な変位量を確保できないという課題がある。この課題に対しては最内周検出スイッチをより外周に配置し、間接的に光ピックアップユニットが光ディスクの最内周位置に到達したことを検知するという方法が知られているが、この方法では前記最内周検出スイッチが検知する光ピックアップユニットの位置と実際の光ディスクの最内周位置との間に誤差が生じ精度が低いという課題がある。
【００１２】
以上の課題は光ディスク以外の光磁気ディスクや他のディスクを適用するディスク装置においても同様に存在する。
【００１３】
本発明は上記事情に鑑みてなされたものであり、ピックアップユニットの暴走時の衝撃緩衝機能を有すると共に、ピックアップユニットの暴走が発生したとしても緩衝部材の衝撃緩和効果を著しく低下させる永久変形を防止できるようなディスク装置を提供することを目的とする。
【００１４】
また、この緩衝機能と併せてわずかな変位量でも最内周検出スイッチを動作させ、ピックアップユニットの最内周位置到達を高精度に検知させることができる機能を備えたディスク装置を提供することを目的とする。
【課題を解決するための手段】
【００１５】
上記目的を達成するため、請求項１に係る発明は、ディスクを回転させるディスク回転手段と、前記ディスクの半径方向に移動するピックアップ支持手段と、このピックアップ支持手段を前記ディスクの半径方向に移動させるためのピックアップ送り手段と、を有するディスク装置において、前記ピックアップ支持手段に当接して該ピックアップ支持手段の移動範囲の一端側を規制する弾性体と、該弾性体を支持すると共に前記ピックアップ支持手段の当接による前記弾性体の変形を抑制するストッパとを備えたことを特徴とする。
【００１６】
又、請求項２に係る発明は、ディスクを回転させるディスク回転手段と、前記ディスクの半径方向に移動するピックアップ支持手段と、このピックアップ支持手段を前記ディスクの半径方向に移動させるためのピックアップ送り手段と、を有するディスク装置において、前記ピックアップ支持手段に当接して該ピックアップ支持手段の移動範囲の一端側を規制する弾性体を備え、前記弾性体により一端が前記ピックアップ支持手段側に付勢される回転自在なスイッチングアーム５とを有し、前記スイッチングアーム５はその回転支点をなす支軸部３２と、前記弾性体によりピックアップ支持手段側に付勢されて該ピックアップ支持手段と衝突する力点となるピックアップ当接部５５と、最内周検出スイッチ６０のオン・オフを行う作用点となるスイッチ当接部５６とからなる梃子構造をなすとともに、前記支軸部３２からピックアップ当接部５５までの水平距離Ｌ１と、前記支軸部３２からスイッチ当接部５６までの水平距離Ｌ２とが、Ｌ１＜Ｌ２の関係となるようにしたことを特徴とする。
【発明の効果】
【００１７】
（１）請求項１の発明では、ピックアップユニットの暴走時に弾性変形することによって衝撃の緩和を行う弾性体が、変形を抑制するためのストッパに支持されているため、前記弾性体に衝撃緩和効果を著しく低下するような永久変形の発生を防止することが可能となる。
（２）請求項２の発明では、ピックアップユニットの暴走時に弾性変形することによって衝撃の緩和を行う弾性体が、スイッチングアームのピックアップ当接部に接続されることで前記スイッチングアームを前記ピックアップユニット側に付勢しており、前記スイッチングアームは前記ピックアップ当接部の変位量を拡大してスイッチ当接部に伝達する梃子構造をなしているため、わずかな変位量でも最内周検出スイッチのオン・オフが可能となり、ディスクの最内周位置でのピックアップユニットとスピンドルモータユニットとの間隔が狭くとも、光ピックアップユニットの最内周位置到達を高精度に検知させることが可能となる。
【発明を実施するための最良の形態】
【００１８】
以下、本発明に係るディスク装置の実施の形態を図面に基づいて説明する。尚、以下の説明においては光ディスクを用いた光ディスク装置を代表として説明するが、光ディスク以外のディスクを用いたディスク装置にも同様に適用できるものである。
【００１９】
先ず、図１〜図４により本発明の第１の実施例を説明する。
【００２０】
図１に実施例１の光ディスク装置における光ピックアップの衝撃緩和機構と光ディスク回転手段を有するスピンドルモータユニットの斜視図を示す。図１中のスピンドルモータユニット３ａは、基台を成すスピンドルベース３１ａを有し、そのスピンドルベース３１ａに光ディスク回転手段であるスピンドルモータ３３が固定され、このスピンドルモータ３３の回転軸には光ディスク保持手段であるターンテーブル３４が固定されている。また、スピンドルベース３１ａには、後述する光ピックアップ支持手段である光ピックアップユニット４の移動方向と平行な方向に突出するスプリング固定用突起３５ａ、３５ｂが形成されている。更に、スピンドルベース３１ａの両端にはスプリング固定用突起３６ａ、３６ｂが形成され、スプリング固定用突起３５ａ、３５ｂとスピンドルモータ３３との間にはガイドシャフト８ａ、８ｂを支持する凹状のガイドシャフト軸受３７ａ、３７ｂが形成されている。特に、ガイドシャフト軸受３７ａとスピンドルモータ３３との間で、スピンドルベース３１ａの端面は光ピックアップユニット４のスピンドルモータユニット３ａ側の移動範囲を後述する緩衝部７６を介して間接的に規制する壁状の内周ストッパ３９（ストッパ）とされている。
【００２１】
スピンドルモータユニット３ａと光ピックアップユニット４との衝突時における衝撃緩和機能を果たす弾性体であるスプリング７ａは図２に示すように、ねじりコイルバネである巻線部７２と、巻線部７２から引き出された第１腕部７４と第２腕部７１とからなり、第１腕部７４はガイドシャフト８ａに当接する部位であるガイドシャフト当接部７３と、その先端側に形成され暴走した光ピックアップユニット４が衝突し、その際に衝撃緩和効果を発揮するようにＶ字状とされた緩衝部７６と、ガイドシャフト当接部７３と緩衝部７６の間に設けられた接続部７５で構成されている。このスプリング７ａはスピンドルモータユニット３ａのスプリング固定用突起３５ａに巻線部７２がはめ込まれ、内周ストッパ３９には緩衝部７６が当接するとともに、第２腕部７１がスプリング固定用突起３６ａに係止されることで、ガイドシャフト当接部７３はガイドシャフト軸受３７ａに嵌入して支持されたガイドシャフト８ａに図１における下向きの押圧力をかけている。尚、スプリング７ａを金属製とすることで、ゴム等を使用した従来技術で生じる、ゴムの劣化に伴うクッション機能の低下や、劣化したゴム等の光ピックアップユニット４への付着が生じることはない。
【００２２】
図３及び、図４に本発明の実施例１であるディスク装置９０ａを構成するトラバースメカの上方及び、下方からの斜視図を示す。図３及び、図４に示される、光ディスク装置を構成するトラバースメカは、スピンドルモータユニット３ａと、光ピックアップ支持手段である光ピックアップユニット４と、光ピックアップユニット４の送り手段を有するベースユニット２を含んでなり、ベースユニット２の基体となるベース部材２１には、光ピックアップユニット４の移動方向と平行な方向に突出するスプリング固定用突起２２ｃ、２２ｄが形成されている。更にこのスプリング固定用突起２２ｃ、２２ｄの外側にスプリング固定用溝２３ｃ、２３ｄが形成され、また、内側にガイドシャフト軸受２４ｃ、２４ｄが形成される。尚、スピンドルモータユニット３ａは、ベース部材２１に、ガイドシャフト軸受３７ａ、３７ｂと、ガイドシャフト軸受２４ｃ、２４ｄとが各々対向するように取り付けられている。また、図４に示されるように、光ピックアップユニット４の送り手段として、リードスクリュー２６が光ピックアップユニット４の移動方向と平行に設置され、リードスクリュー２６にスレッドモータ２８の回転軸が接続されている。
【００２３】
ガイドシャフト８ａはガイドシャフト軸受３７ａ、２４ｃに嵌入され、ガイドシャフト軸受３７ａにおいてはスプリング７ａのガイドシャフト当接部７３により、ガイドシャフト軸受２４ｃにおいてはスプリング７により固定される。また、ガイドシャフト８ｂはガイドシャフト軸受３７ｂ、２４ｄに嵌入され、その両端がスプリング７により固定される。この時、ガイドシャフト軸受３７ａ、３７ｂとガイドシャフト軸受２４ｃ、２４ｄとは、前述のように各々対向しているため、ガイドシャフト８ａ、８ｂは互いに平行に設置されることとなる。
【００２４】
スプリング７はスプリング７ａと同等の巻線部７２と第２腕部７１とガイドシャフト当接部７３とで構成され、緩衝部７６を有さないねじりコイルバネであり、スプリング７の巻線部７２がスピンドルベース３１ａに形成されたスプリング固定用突起３５ｂ及び、ベース部材２１に形成されたスプリング固定用突起２２ｃ、２２ｄにはめ込まれ、スプリング７の第２腕部７１がスピンドルベース３１ａに形成されたスプリング固定用突起３６ｂもしくは、ベース部材２１に形成されたスプリング固定用溝２３ｃ、２３ｄに係止する状態で固定されている。これによりスプリング７のガイドシャフト当接部７３はガイドシャフト８ａ、８ｂに下向きの押圧力をかけることとなり、ガイドシャフト８ａ、８ｂをガイドシャフト軸受３７ｂ・２４ｃ・２４ｄに固定している。
【００２５】
ガイドシャフト８ａ、８ｂには、光ピックアップユニット４がそのガイドシャフト８ａ、８ｂに沿って摺動可能な状態で嵌め込まれる。光ピックアップユニット４には光ピックアップ送り手段を構成しているナット部材４１及び、光ピックアップユニット４が最内周位置に到達した時に、スプリング７ａの緩衝部７６に当接する当接部４２が取り付けられている。
【００２６】
ベースユニット２に設置されたリードスクリュー２６と、光ピックアップユニット４に設置されたナット部材４１とは咬合しており、これにより、スレッドモータ２８の回転駆動力が、リードスクリュー２６を介して、光ピックアップユニット４のナット部材４１に伝達され、光ピックアップユニット４はガイドシャフト８ａ、８ｂに沿って摺動する。
【００２７】
光ピックアップユニット４が所定の移動範囲の一端である光ディスクの最内周位置を越えて暴走した場合、光ピックアップユニット４の当接部４２とスプリング７ａの緩衝部７６とが最初に当接することとなる。この時の衝撃は緩衝部７６が弾性変形することで緩和され、仮に勢いが強くその後に光ピックアップユニット４がベースユニット２やスピンドルモータユニット３ａへ衝突する寸法に設定されていたとしても、既に緩衝部７６により、光ピックアップユニット４の速度は十分に減速されているために大きな衝撃は生じ得ず、光ピックアップユニット４の破損や衝突部位の変形等が発生することはない。
【００２８】
緩衝部７６は内周ストッパ３９に接するように設置されており、光ピックアップユニット４の衝突時には、内周ストッパ３９が緩衝部７６の変形を抑制する支持体として機能するために、緩衝部７６は従来技術のように光ピックアップユニット４の進行方向に沿う方向の主たる弾性変形が起きるのではなく、内周ストッパ３９により固定端側に曲げ荷重が作用するのを防止されながら、内周ストッパ３９に沿って光ピックアップユニット４の進行方向と垂直方向に主たる弾性変形が生じて衝撃を緩和することとなる。従って、緩衝部７６に若干の永久変形が生じたとしても、従来技術の様に光ピックアップユニット４の進行方向への永久変形は生じないため、衝撃緩和効果が著しく低下することはない。更に緩衝部７６をＶ字形状とすることで衝撃の負荷がＶ字形状の3箇所の屈曲部に分散されるため、従来技術に比べ永久変形自体も生じにくい。また、スプリング７ａには緩衝部７６とガイドシャフト当接部７３の間に所定の距離を与える接続部７５（図２参照）が存在するため、光ピックアップユニット４の衝突時の緩衝部７６の弾性変形の影響はガイドシャフト当接部７３には伝達されず、よってガイドシャフト８ａへの押圧力の減少がなく、ガイドシャフト８ａの位置ずれも生じない。
【００２９】
上記構成による実施例１のディスク装置９０ａによれば、ガイドシャフト当接部７３と緩衝部７６とを有するスプリング７ａを、スピンドルモータユニット３ａの内周ストッパ３９に緩衝部７６が当接されると同時に、ガイドシャフト８ａに下向きの押圧力をかけるように設置することで、部品数を増やすことなくガイドシャフト８ａの固定と光ピックアップユニット４の暴走時の衝撃緩和機能を得ることができるとともに、光ピックアップユニット４の衝突時には内周ストッパ３９が緩衝部７６の支持体として機能するために、緩衝部７６の変形は抑制され衝撃緩和効果を著しく低下するような永久変形が生じることはない。
【００３０】
尚、上記実施例１においては、緩衝部７６にＶ字形状とした例を示したが、特にＶ字形状である必要は無く、例えばＷ字形状であっても良い。また、スプリング７ａは金属製である必要は無く、例えば樹脂を用いても良い。更にまた、実施例１においては緩衝緩和効果を有するスプリングにガイドシャフトを固定する機能も兼ね備えた例を示したが、そのスプリングは必ずしもガイドシャフトを固定する機能を兼ね備える必要はなく、独立した形で設置することも可能である。
【００３１】
次に、本発明の第２の実施例を説明する。
【００３２】
図５に本発明の実施例２のディスク装置９０ｂを構成するトラバースメカの下方からの斜視図を示す。図５に示される光ディスク装置を構成するトラバースメカは、図４同様、光ディスク保持手段と光ディスク回転手段とを有するスピンドルモータユニット３ｂと、光ピックアップ支持手段である光ピックアップユニット４と、光ピックアップ送り手段を有するベースユニット２を含んでなる。尚、光ピックアップユニット４、ベースユニット２、光ピックアップユニット４の送り手段、ガイドシャフト８ａ、８ｂの固定手段等は実施例１と全く同等であるため、ここでは詳細な説明は省略することとする。
【００３３】
実施例２では実施例１のスプリング７ａに替えて図６に示すスプリング７ｂを用いている。これは、実施例１のスプリング７ａと同等の第２腕部７１と巻線部７２とガイドシャフト当接部７３と接続部７５とを有しているが、緩衝部７６の形状が異なりＶ字形状に代えてコンプレッションコイルスプリング７７によりクッション機能を持たせている。
【００３４】
実施例２では、さらにスイッチングアーム５を用いている。このスイッチングアーム５は図７に示すように基部５１とその両端に連接する一対の腕部５２、５３からなるコの字形状をなしており、その一方の腕部５２は光ピックアップユニット衝突時に最初に光ピックアップユニット４と当接するピックアップ当接部５５であり、もう一方の腕部５３は最内周検出スイッチ６０のオン・オフを行うスイッチ当接部５６である。尚、ピックアップ当接部５５にはスプリング７ｂのコンプレッションコイルスプリング７７が取り付けられる段付部５８が形成されている。また更に、スイッチングアーム５の基部５１には回転支点穴５９が形成されており、この回転支点穴５９の中心からピックアップ当接部５５までの水平距離Ｌ１と、回転支点穴５９の中心からスイッチ当接部５６までの水平距離Ｌ２とは、Ｌ１＜Ｌ２の関係となっている。
【００３５】
図８に本発明の実施例２の光ディスク装置における光ピックアップの衝撃緩和機構及びスピンドルモータユニットの斜視図を示す。実施例２におけるスピンドルモータユニット３ｂは、実施例１のスピンドルモータユニット３ａの構成に加え、スピンドルベース３１ｂにスイッチングアーム５を支持するスナップフィット３８ａ、３８ｂ、及びスイッチングアーム５の回転支点となる支軸部３２が下方に起立する形で形成されると共に、最内周検出スイッチ６０が基板６２を介して光ピックアップユニット４と反対方向を向くように取り付けられ、また、基板６２には最内周検出スイッチ６０のオン、オフの信号を制御部（図示せず）に伝送するためのフレキシブルプリント配線板６１が接続されている。また、スイッチングアーム５は回転支点穴５９がスピンドルベース３１ｂに形成された支軸部３２に回転が可能な状態で嵌入され、かつスピンドルベース３１ｂに形成されたスナップフィット３８ａ、３８ｂにより脱落しないように支持されることで、支軸部３２を中心に回動可能な状態でスピンドルベース３１ｂに取り付けられている。
【００３６】
スプリング７ｂの巻線部７２は、実施例１同様スピンドルベース３１ｂに形成されたスプリング固定用突起３５ａにはめ込まれるとともに、第２腕部７１をスプリング固定用突起３６ａに係止することで、ガイドシャフト当接部７３はガイドシャフト８ａに下向きの押圧力をかけガイドシャフト軸受３７ａに固定している。また、スプリング７ｂのコンプレッションコイルスプリング７７には、スイッチングアーム５のピックアップ当接部５５にある段付部５８が挿入され、また、スイッチングアーム５はこのスプリング７ｂにより回転支点である支軸部３２を中心として、矢印Ａ方向に常に付勢されるように保持される。
【００３７】
スイッチングアーム５のもう一端はスイッチ当接部５６であり、スイッチ当接部５６から所定の間隔をおいて、最内周検出スイッチ６０がスイッチ当接部５６に対向するように配置されている。通常、スイッチングアーム５は前述のようにスプリング７ｂにより常に矢印Ａ方向へ付勢されているため、スイッチ当接部５６が最内周検出スイッチ６０を押すことは無く、故に最内周検出スイッチ６０がオン状態になることも無い。尚、ピックアップ当接部５５の位置、コンプレッションコイルスプリング７７の寸法及びバネ特性等は光ピックアップユニット４が光ディスクの最内周位置に到達した時に、スイッチ当接部５６が最内周検出スイッチ６０を押すように設計されている。
【００３８】
光ピックアップユニット４が光ディスクの最内周位置を越えて暴走した場合、光ピックアップユニット４の当接部４２がスイッチングアーム５のピックアップ当接部５５に最初に当接することとなる。この時の衝撃はコンプレッションコイルスプリング７７やガイドシャフト当接部７３の弾性などにより緩和され、仮に勢いが強く光ピックアップユニット４がベースユニット２やスピンドルモータユニット３ｂへ衝突したとしても、光ピックアップユニット４の速度は十分に減速しているために大きな衝撃は生じ得ず、光ピックアップユニット４の破損や衝突部位の変形等が発生することはない。
【００３９】
また、光ピックアップユニット４がディスクの最内周位置に到達した場合、光ピックアップユニット４の当接部４２がスイッチングアーム５のピックアップ当接部５５を光ピックアップユニット４の進行方向に押すこととなり、ピックアップ当接部５５に回転支点である支軸部３２を中心として図８中の矢印Ｂ方向に回転するような力が加わることとなる。この力によりスイッチングアーム５は回転支点である支軸部３２を中心として矢印Ｂ方向に回転し、スイッチングアーム５の他の一端であるスイッチ当接部５６が光ピックアップの方向に移動することで、最内周検出スイッチ６０が押され、最内周検出スイッチ６０がオン状態になる。これにより制御部（図示せず）は光ピックアップユニット４が光ディスクの最内周位置に到達したことを検知することができる。
【００４０】
尚、スイッチングアーム５は支軸部３２の中心を支点、ピックアップ当接部５５を力点、スイッチ当接部５６を作用点とするような梃子構造をなすとともに、回転支点である支軸部３２の中心からピックアップ当接部５５までの水平距離Ｌ１と、回転支点である支軸部３２の中心からスイッチ当接部５６までの水平距離Ｌ２とが、Ｌ１＜Ｌ２の関係となるように設計されているため、仮に、光ピックアップユニット４が光ディスクの最内周位置に到達した時のピックアップ当接部５５の変位量ｄ１が小さかったとしても、スイッチ当接部５６での変位量ｄ２は  ｄ２＝（Ｌ２／Ｌ１）×ｄ１  に拡大されるため、最内周検出スイッチ６０を確実にオン状態にすることができる。
【００４１】
上記構成による実施例２のディスク装置９０ｂによれば、ガイドシャフト当接部７３とクッション部であるコンプレッションコイルスプリング７７とを有するスプリング７ｂを用いることで、部品数を増やすことなくガイドシャフト８ａの固定と光ピックアップユニット４の暴走時のクッション機能を得ることができると共に、ディスクの最内周位置での光ピックアップユニット４とスピンドルモータユニット３ｂとの間隔が狭く、ディスクの最内周位置に光ピックアップユニット４が到達した時の変位量がわずかでも最内周検出スイッチ６０を確実にオン状態にすることができ、光ピックアップユニット４の最内周位置到達を高精度に検知させることができる。
【００４２】
尚、実施例２においては、スイッチングアーム５にコの字形状のものを用いた例を示したが、特にコの字形状である必要は無く、例えばＬ字形状、Ｕ字形状、Ｖ字形状、Ｍ字形状等の形状でも良い他、基部５１と腕部５２、５３を固定せず、可動な状態で連接しても良い。
【００４３】
また、本発明は上記の形態に限定されるものではなく、本発明の要旨を逸脱しない範囲で変更して実施することが可能である。
【図面の簡単な説明】
【００４４】
【図１】本発明に係る実施例１のディスク装置におけるスピンドルモータユニットの斜視図である。
【図２】本発明に係る実施例１を構成するスプリングの斜視図である。
【図３】本発明に係る実施例１に係るトラバースメカの上方からの斜視図である。
【図４】本発明に係る実施例１に係るトラバースメカの下方からの斜視図である。
【図５】本発明に係る実施例２に係るトラバースメカの下方からの斜視図である。
【図６】本発明に係る実施例２を構成するスプリングの斜視図である。
【図７】本発明に係る実施例２を構成するスイッチングアームの斜視図である。
【図８】本発明に係る実施例２のディスク装置におけるスピンドルモータユニットの斜視図である。
【図９】従来の光ピックアップの衝撃緩和機能である。
【符号の説明】
【００４５】
２    ベースユニット
３ａ・３ｂ    スピンドルモータユニット（ディスク回転手段）
４    光ピックアップユニット（ピックアップ支持手段）
５    スイッチングアーム
７ａ・７ｂ    スプリング
８ａ・８ｂ    ガイドシャフト
２６    リードスクリュー
２８    スレッドモータ
３９    内周ストッパ
３２    支軸部
３８ａ・３８ｂ    スナップフィット
４１    ナット部材
４２    当接部
５１    基部
５５    ピックアップ当接部
５６    スイッチ当接部
５８    段付部
５９    回転支点穴
７１    第２腕部
７２    巻線部
７３    ガイドシャフト当接部
７４    第１腕部
７５    接続部
７６    緩衝部
７７    コンプレッションコイルスプリング
９０ａ・９０ｂ    ディスク装置
【図１】
2007200497.tif 000003
【図２】
2007200497.tif 000004
【図３】
2007200497.tif 000005
【図４】
2007200497.tif 000006
【図５】
2007200497.tif 000007
【図６】
2007200497.tif 000008
【図７】
2007200497.tif 000009
【図８】
2007200497.tif 000010
【図９】
2007200497.tif 000011